(57)【要約】  本発明は、システム情報伝送方法及び装置に係り、通信技術分野に属する。前記方法は、ランダムアクセス過程の中に、基地局へシステム情報を要求するためのシステム情報要求を含むランダムアクセスメッセージＩＩＩを送信するステップと、前記基地局から送信された前記システム情報を含むランダムアクセスメッセージＩＶを受信するステップと、前記ランダムアクセスメッセージＩＶから前記システム情報を読み取るステップと、を含む。本発明は、基地局が複数回にビームフォーミング技術を利用して端末へシステム情報を放送することによるシグナリング浪費の問題と、端末が基地局へ単独のシステム情報要求を送信し、及び基地局が端末へ単独のシステム情報を回答することによるシグナリング浪費の問題とを解決し、シグナリングを節約する効果を達成することができる。【選択図】図２
2019517216.tif 000002
【特許請求の範囲】
【請求項１】
ランダムアクセス過程の中に、基地局へシステム情報を要求するためのシステム情報要求を含むランダムアクセスメッセージＩＩＩを送信するステップと、
前記基地局から送信された前記システム情報を含むランダムアクセスメッセージＩＶを受信するステップと、
前記ランダムアクセスメッセージＩＶから前記システム情報を読み取るステップと、を含むことを特徴とするシステム情報伝送方法。
【請求項２】
基地局へシステム情報要求を含むランダムアクセスメッセージＩＩＩを送信するステップは、
前記ランダムアクセスメッセージＩＩＩが正の整数であるｎ個の情報指示ビットを含み、且つ各情報指示ビットが少なくとも一種のシステム情報または少なくとも一種の情報ブロックに対応する場合、前記ｎ個の情報指示ビットにおいて前記システム情報に対応する情報指示ビットを確定し、前記情報指示ビットの数値を前記基地局が前記システム情報を送信するように指示するための予め設定された数値に設定するステップと、
前記基地局へ前記ランダムアクセスメッセージＩＩＩを送信するステップと、を含むことを特徴とする請求項１に記載のシステム情報伝送方法。
【請求項３】
ランダムアクセス過程の中に、前記基地局へプリアンブルを送信するステップと、
前記基地局が前記プリアンブルを検出した後で送信した、前記ランダムアクセスメッセージＩＩＩを送信するように指示するためのランダムアクセス応答メッセージを受信するステップと、をさらに含むことを特徴とする請求項１または２に記載のシステム情報伝送方法。
【請求項４】
ランダムアクセス過程の中に、端末から送信された、システム情報を要求するためのシステム情報要求を含むランダムアクセスメッセージＩＩＩを受信するステップと、
前記システム情報を含み、且つ前記端末が前記システム情報を読み取るように供されるためのランダムアクセスメッセージＩＶを前記端末へ送信するステップと、を含むことを特徴とするシステム情報伝送方法。
【請求項５】
前記ランダムアクセスメッセージＩＩＩが正の整数であるｎ個の情報指示ビットを含み、且つ各情報指示ビットが少なくとも一種のシステム情報または少なくとも一種の情報ブロックに対応する場合、前記ランダムアクセスメッセージＩＩＩにおける各情報指示ビットの数値を読み取るステップと、
数値が予め設定された数値である情報指示ビットが存在する場合、前記情報指示ビットに対応するシステム情報を取得するステップと、
前記システム情報を含むランダムアクセスメッセージＩＶを生成するステップと、をさらに含むことを特徴とする請求項４に記載のシステム情報伝送方法。
【請求項６】
ランダムアクセス過程の中に、各端末から送信されたプリアンブルを検出するステップと、
前記端末から送信されたプリアンブルを検出した場合、ランダムアクセスメッセージＩＩＩを送信するように指示するためのランダムアクセス応答メッセージを生成して前記端末に送信するステップと、をさらに含むことを特徴とする請求項４または５に記載のシステム情報伝送方法。
【請求項７】
ランダムアクセス過程の中に、基地局へシステム情報を要求するためのシステム情報要求を含むランダムアクセスメッセージＩＩＩを送信するように構成される第１の送信モジュールと、
前記基地局から送信された前記システム情報を含むランダムアクセスメッセージＩＶを受信するように構成される第１の受信モジュールと、
前記第１の受信モジュールが得る前記ランダムアクセスメッセージＩＶから前記システム情報を読み取るように構成される情報読み取りモジュールと、を含むことを特徴とするシステム情報伝送装置。
【請求項８】
前記第１の送信モジュールは、さらに
前記ランダムアクセスメッセージＩＩＩが正の整数であるｎ個の情報指示ビットを含み、且つ各情報指示ビットが少なくとも一種のシステム情報または少なくとも一種の情報ブロックに対応する場合、前記ｎ個の情報指示ビットにおいて前記システム情報に対応する情報指示ビットを確定し、前記情報指示ビットの数値を前記基地局が前記システム情報を送信するように指示するための予め設定された数値に設定し、
前記基地局へ前記ランダムアクセスメッセージＩＩＩを送信するように構成されることを特徴とする請求項７に記載のシステム情報伝送装置。
【請求項９】
ランダムアクセス過程の中に、前記基地局へプリアンブルを送信するように構成される第２の送信モジュールと、
前記基地局が前記プリアンブルを検出した後で送信した、前記ランダムアクセスメッセージＩＩＩを送信するように指示するためのランダムアクセス応答メッセージを受信するように構成される第２の受信モジュールと、をさらに含むことを特徴とする請求項７または８に記載のシステム情報伝送装置。
【請求項１０】
ランダムアクセス過程の中に、端末から送信された、システム情報を要求するためのシステム情報要求を含むランダムアクセスメッセージＩＩＩを受信するように構成されるメッセージ受信モジュールと、
前記システム情報を含み、且つ前記端末が前記システム情報を読み取るように供されるためのランダムアクセスメッセージＩＶを前記端末へ送信するように構成される第１の送信モジュールと、を含むことを特徴とするシステム情報伝送装置。
【請求項１１】
前記ランダムアクセスメッセージＩＩＩが正の整数であるｎ個の情報指示ビットを含み、且つ各情報指示ビットが少なくとも一種のシステム情報または少なくとも一種の情報ブロックに対応する場合、前記ランダムアクセスメッセージＩＩＩにおける各情報指示ビットの数値を読み取むように構成される数値読み取りモジュールと、
数値が予め設定された数値である情報指示ビットが存在する場合、前記情報指示ビットに対応するシステム情報を取得するように構成される情報取得モジュールと、
前記システム情報を含むランダムアクセスメッセージＩＶを生成するように構成されるメッセージ生成モジュールと、をさらに含むことを特徴とする請求項１０に記載のシステム情報伝送装置。
【請求項１２】
ランダムアクセス過程の中に、各端末から送信されたプリアンブルを検出するように構成される検出モジュールと、
前記検出モジュールが前記端末から送信されたプリアンブルを検出した場合、ランダムアクセスメッセージＩＩＩを送信するように指示するためのランダムアクセス応答メッセージを生成して前記端末に送信するように構成される第２の送信モジュールと、をさらに含むことを特徴とする請求項１０または１１に記載のシステム情報伝送装置。
【請求項１３】
プロセッサと、
プロセッサにより実行可能な命令を記憶するメモリと、を含み、
前記プロセッサは、
ランダムアクセス過程の中に、基地局へシステム情報を要求するためのシステム情報要求を含むランダムアクセスメッセージＩＩＩを送信し、
前記基地局から送信された前記システム情報を含むランダムアクセスメッセージＩＶを受信し、
前記ランダムアクセスメッセージＩＶから前記システム情報を読み取るように構成されることを特徴とするシステム情報伝送装置。
【請求項１４】
プロセッサと、
プロセッサにより実行可能な命令を記憶するメモリと、を含み、
前記プロセッサは、
ランダムアクセス過程の中に、端末から送信された、システム情報を要求するためのシステム情報要求を含むランダムアクセスメッセージＩＩＩを受信し、
前記システム情報を含み、且つ前記端末が前記システム情報を読み取るように供されるためのランダムアクセスメッセージＩＶを前記端末へ送信するように構成されるシステム情報伝送装置。
【発明の詳細な説明】
【技術分野】
【０００１】
本発明は、通信技術分野に係り、特に、システム情報伝送方法及び装置に関する。
【背景技術】
【０００２】
端末は、基地局にアクセスする場合、基地局から放送するシステム情報を取得する必要があり、システム情報に基づいて基地局から提供されるネットワークを正確にアクセスし選択して、さまざまなネットワークサービスを得ることができる。ここで、システム情報は、ＭＩＢ（ｍａｓｔｅｒ  ｉｎｆｏｒｍａｔｉｏｎ  ｂｌｏｃｋ、マスター情報ブロック）、ＳＩＢ（Ｓｙｓｔｅｍ  Ｉｎｆｏｒｍａｔｉｏｎ  Ｂｌｏｃｋｓ、システム情報ブロック）１〜ＳＩＢ１２等を含む。
【０００３】
５Ｇ（（登録商標）５ｔｈ  Ｇｅｎｅｒａｔｉｏｎ、第５世代デジタル通信）のような高周波数ネットワークに対しては、その周波数範囲は、最高１００ＧＨｚに達することができ、高周波帯域のデータに必要なチャンネル品質要求を満足させるために、基地局と端末との間のデータ通信は、ビームフォーミング技術を使用する必要がある。即ち、基地局と端末との間には、ビームフォーミング技術を介してシステム情報を伝送する。
【発明の概要】
【発明が解決しようとする課題】
【０００４】
相関技術における問題を解決するために、本発明は、システム情報伝送方法及び装置を提供する。
【課題を解決するための手段】
【０００５】
本発明の実施例に係る第１局面によれば、システム情報伝送方法を提供し、前記方法は、
ランダムアクセス過程の中に、基地局へシステム情報を要求するためのシステム情報要求を含むランダムアクセスメッセージＩＩＩを送信するステップと、
前記基地局から送信された前記システム情報を含むランダムアクセスメッセージＩＶを受信するステップと、
前記ランダムアクセスメッセージＩＶから前記システム情報を読み取るステップと、を含む。
【０００６】
選択的に、基地局へシステム情報要求を含むランダムアクセスメッセージＩＩＩを送信するステップは、
前記ランダムアクセスメッセージＩＩＩが正の整数であるｎ個の情報指示ビットを含み、且つ各情報指示ビットが少なくとも一種のシステム情報または少なくとも一種の情報ブロックに対応する場合、前記ｎ個の情報指示ビットにおいて前記システム情報に対応する情報指示ビットを確定し、前記情報指示ビットの数値を前記基地局が前記システム情報を送信するように指示するための予め設定された数値に設定するステップと、
前記基地局へ前記ランダムアクセスメッセージＩＩＩを送信するステップと、を含む
選択的に、前記方法は、
ランダムアクセス過程の中に、前記基地局へプリアンブルを送信するステップと、
前記基地局が前記プリアンブルを検出した後で送信した、前記ランダムアクセスメッセージＩＩＩを送信するように指示するためのランダムアクセス応答メッセージを受信するステップと、をさらに含む
本発明の実施例に係る第２局面によれば、システム情報伝送方法を提供し、前記方法は、
ランダムアクセス過程の中に、端末から送信された、システム情報を要求するためのシステム情報要求を含むランダムアクセスメッセージＩＩＩを受信するステップと、
前記システム情報を含み、且つ前記端末が前記システム情報を読み取るように供されるためのランダムアクセスメッセージＩＶを前記端末へ送信するステップと、を含む
選択的に、前記方法は、
前記ランダムアクセスメッセージＩＩＩが正の整数であるｎ個の情報指示ビットを含み、且つ各情報指示ビットが少なくとも一種のシステム情報または少なくとも一種の情報ブロックに対応する場合、前記ランダムアクセスメッセージＩＩＩにおける各情報指示ビットの数値を読み取るステップと、
数値が予め設定された数値である情報指示ビットが存在する場合、前記情報指示ビットに対応するシステム情報を取得するステップと、
前記システム情報を含むランダムアクセスメッセージＩＶを生成するステップと、をさらに含む。
【０００７】
選択的に、前記方法は、
ランダムアクセス過程の中に、各端末から送信されたプリアンブルを検出するステップと、
前記端末から送信されたプリアンブルを検出した場合、ランダムアクセスメッセージＩＩＩを送信するように指示するためのランダムアクセス応答メッセージを生成して前記端末に送信するステップと、をさらに含む。
【０００８】
本発明の実施例に係る第３局面によれば、システム情報伝送装置を提供し、前記装置は、
ランダムアクセス過程の中に、基地局へシステム情報を要求するためのシステム情報要求を含むランダムアクセスメッセージＩＩＩを送信するように構成される第１の送信モジュールと、
前記基地局から送信された前記システム情報を含むランダムアクセスメッセージＩＶを受信するように構成される第１の受信モジュールと、
前記第１の受信モジュールが得る前記ランダムアクセスメッセージＩＶから前記システム情報を読み取るように構成される情報読み取りモジュールと、を含む。
【０００９】
選択的に、前記第１の送信モジュール、さらに
前記ランダムアクセスメッセージＩＩＩが正の整数であるｎ個の情報指示ビットを含み、且つ各情報指示ビットが少なくとも一種のシステム情報または少なくとも一種の情報ブロックに対応する場合、前記ｎ個の情報指示ビットにおいて前記システム情報に対応する情報指示ビットを確定し、前記情報指示ビットの数値を前記基地局が前記システム情報を送信するように指示するための予め設定された数値に設定し、
前記基地局へ前記ランダムアクセスメッセージＩＩＩを送信するように構成される。
【００１０】
選択的に、前記装置は、
ランダムアクセス過程の中に、前記基地局へプリアンブルを送信するように構成される第２の送信モジュールと、
前記基地局が前記プリアンブルを検出した後で送信した、前記ランダムアクセスメッセージＩＩＩを送信するように指示するためのランダムアクセス応答メッセージを受信するように構成される第２の受信モジュールと、をさらに含む。
【００１１】
本発明の実施例に係る第４局面によれば、システム情報伝送装置を提供し、前記装置は、
ランダムアクセス過程の中に、端末から送信された、システム情報を要求するためのシステム情報要求を含むランダムアクセスメッセージＩＩＩを受信するように構成されるメッセージ受信モジュールと、
前記システム情報を含み、且つ前記端末が前記システム情報を読み取るように供されるためのランダムアクセスメッセージＩＶを前記端末へ送信するように構成される第１の送信モジュールと、を含む。
【００１２】
選択的に、前記装置は、
前記ランダムアクセスメッセージＩＩＩが正の整数であるｎ個の情報指示ビットを含み、且つ各情報指示ビットが少なくとも一種のシステム情報または少なくとも一種の情報ブロックに対応する場合、前記ランダムアクセスメッセージＩＩＩにおける各情報指示ビットの数値を読み取むように構成される数値読み取りモジュールと、
数値が予め設定された数値である情報指示ビットが存在する場合、前記情報指示ビットに対応するシステム情報を取得するように構成される情報取得モジュールと、
前記システム情報を含むランダムアクセスメッセージＩＶを生成するように構成されるメッセージ生成モジュールと、をさらに含む。
【００１３】
選択的に、前記装置は、
ランダムアクセス過程の中に、各端末から送信されたプリアンブルを検出するように構成される検出モジュールと、
前記検出モジュールが前記端末から送信されたプリアンブルを検出した場合、ランダムアクセスメッセージＩＩＩを送信するように指示するためのランダムアクセス応答メッセージを生成して前記端末に送信するように構成される第２の送信モジュールと、をさらに含む。
【００１４】
本発明の実施例に係る第５局面によれば、システム情報伝送装置を提供し、前記装置は、
プロセッサと、
プロセッサにより実行可能な命令を記憶するメモリと、を含み、
前記プロセッサは、
ランダムアクセス過程の中に、基地局へシステム情報を要求するためのシステム情報要求を含むランダムアクセスメッセージＩＩＩを送信し、
前記基地局から送信された前記システム情報を含むランダムアクセスメッセージＩＶを受信し、
前記ランダムアクセスメッセージＩＶから前記システム情報を読み取るように構成される。
【００１５】
本発明の実施例に係る第６局面によれば、システム情報伝送装置を提供し、前記装置は、
プロセッサと、
プロセッサにより実行可能な命令を記憶するメモリと、を含み、
前記プロセッサは、
ランダムアクセス過程の中に、端末から送信された、システム情報を要求するためのシステム情報要求を含むランダムアクセスメッセージＩＩＩを受信し、
前記システム情報を含み、且つ前記端末が前記システム情報を読み取るように供されるためのランダムアクセスメッセージＩＶを前記端末へ送信するように構成される。
【発明の効果】
【００１６】
本発明の実施例に係る技術案は、以下の有益な効果を含むことができる。
【００１７】
端末が基地局へシステム情報を要求するためのシステム情報要求を含むランダムアクセスメッセージＩＩＩを送信し、基地局が端末へシステム情報を含むランダムアクセスメッセージＩＶを送信し、端末がランダムアクセスメッセージＩＶからシステム情報を読み取ることによって、端末が基地局へシステム情報を要求でき、基地局が複数回にビームフォーミング技術を利用して端末へシステム情報を放送することによるシグナリング浪費の問題を解決した。そして、端末は、システム情報要求を既存のランダムアクセスメッセージＩＩＩに付加して基地局へ送信でき、基地局は、既存のランダムアクセスメッセージＩＶを介して端末へシステム情報をフィードバックし、これにより、端末が基地局へ単独のシステム情報要求を送信し、及び基地局が端末へ単独のシステム情報を回答することによるシグナリング浪費の問題を解決し、シグナリングを節約する効果を達成することができる。
【００１８】
なお、前記一般的な記載及び後述の詳細な記載は、単なる例示的な記載であり、本発明を限定しない。
【図面の簡単な説明】
【００１９】
ここでの図面は、明細書に合併されて本明細書の一部を構成して本発明と合致する実施例を示し、明細書とともに本発明の原理を説明するのに用いられる。
【図１】一例示的な実施例に係る通信システムのブロック図である。
【図２】一例示的な実施例に係るシステム情報伝送方法のプローチャートである。
【図３】他の一例示的な実施例に係るシステム情報伝送方法のプローチャートである。
【図４】他の一例示的な実施例に係るシステム情報伝送方法の模式図である。
【図５】一例示的な実施例に係るシステム情報伝送装置のブロック図である。
【図６】一例示的な実施例に係るシステム情報伝送装置のブロック図である。
【図７】一例示的な実施例に係るシステム情報伝送装置のブロック図である。
【図８】一例示的な実施例に係るシステム情報伝送装置のブロック図である。
【図９】一例示的な実施例に係るシステム情報転送のための装置のブロック図である。
【発明を実施するための形態】
【００２０】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００２１】
図１は、一例示的な実施例に係る通信システムのブロック図であり、ここで、当該通信システムは、基地局１１０と、複数の端末１２０とを含み、基地局１１０と端末１２０との間に高周波帯域でデータを伝送する。例えば、通信システムは、５Ｇ（登録商標）システムである。
【００２２】
端末１２０は、携帯電話（英語：ｃｅｌｌｐｈｏｎｅ）、スマートフォン（英語：ｓｍａｒｔｐｈｏｎｅ）、コンピュータ（英語：ｃｏｍｐｕｔｅｒ）、タブレットコンピュータ（英語：ｔａｂｌｅｔ  ｃｏｍｐｕｔｅｒ）、ウェアラブルデバイス（英語：ｗｅａｒａｂｌｅ  ｄｅｖｉｃｅ）、パーソナルデータアシスタント（英語：ｐｅｒｓｏｎａｌ  ｄｉｇｉｔａｌ  ａｓｓｉｓｔａｎｔ、ＰＤＡ）、モバイルインタネットデバイス（英語：ｍｏｂｉｌｅ  Ｉｎｔｅｒｎｅｔ  ｄｅｖｉｃｅ、ＭＩＤ）及び電子ブックリーダー（英語：ｅ‐ｂｏｏｋ  ｒｅａｄｅｒ）等であってもよい。
【００２３】
図２は、一例示的な実施例に係るシステム情報伝送方法のプローチャートであり、当該システム情報伝送方法は、図１に示される通信システムに適用され、図１に示すように、当該システム情報伝送方法は、以下のステップを含む。
【００２４】
ステップ２０１において、ランダムアクセス過程の中に、端末は、基地局へシステム情報を要求するためのシステム情報要求を含むランダムアクセスメッセージＩＩＩを送信する。
【００２５】
ステップ２０２において、基地局は、端末から送信されたシステム情報要求を含むランダムアクセスメッセージＩＩＩを受信する。
【００２６】
ステップ２０３において、基地局は、端末へシステム情報を含むランダムアクセスメッセージＩＶを送信し、当該ランダムアクセスメッセージＩＶは、端末がシステム情報を読み取るように供される。
【００２７】
ステップ２０４において、端末は、基地局から送信されたシステム情報を含むランダムアクセスメッセージＩＶを受信する。
【００２８】
ステップ２０５において、端末は、ランダムアクセスメッセージＩＶからシステム情報を読み取る。
【００２９】
ここで、ステップ２０２〜２０３は、称された基地局側のシステム情報伝送方法を単独に実現してもよい、ステップ２０１及び２０４〜２０５は、称された端末側のシステム情報伝送方法を単独に実現してもよい。
【００３０】
以上のように、本発明に係るシステム情報伝送方法は、端末が基地局へシステム情報を要求するためのシステム情報要求を含むランダムアクセスメッセージＩＩＩを送信し、基地局が端末へシステム情報を含むランダムアクセスメッセージＩＶを送信し、端末がランダムアクセスメッセージＩＶからシステム情報を読み取ることによって、端末が基地局へシステム情報を要求でき、基地局が複数回にビームフォーミング技術を利用して端末へシステム情報を放送することによるシグナリング浪費の問題を解決した。そして、端末は、システム情報要求を既存のランダムアクセスメッセージＩＩＩに付加して基地局へ送信でき、基地局は、既存のランダムアクセスメッセージＩＶを介して端末へシステム情報をフィードバックし、これにより、端末が基地局へ単独のシステム情報要求を送信し、及び基地局が端末へ単独のシステム情報を回答することによるシグナリング浪費の問題を解決し、シグナリングを節約する効果を達成することができる。
【００３１】
図３は、他の一例示的な実施例に係るシステム情報伝送方法のプローチャートであり、当該システム情報伝送方法は、図１に示された通信システムに適用され、本実施例において、基地局から端末へ放送するシステム情報を第１のシステム情報と称し、端末から基地局へ要求するシステム情報を第２のシステム情報と称する。図３に示すように、当該システム情報伝送方法は、以下のステップを含む。
【００３２】
ステップ３０１において、基地局は、ビームフォーミング技術を利用して端末へ第１のシステム情報を放送し、第１のシステム情報は、基地局と端末がランダムアクセス過程に使用したシステム情報を少なくとも含む。
【００３３】
第１のシステム情報は、最も重要なシステム情報であり、少なくとも一種のシステム情報または少なくとも一種の情報ブロックを含んでもよい。本実施例において、第１のシステム情報は、基地局と端末がランダムアクセス過程に使用したシステム情報を少なくとも含む。例えば、第１のシステム情報は、ＳＦＮ（Ｓｙｓｔｅｍ  Ｆｒａｍｅ  Ｎｕｍｂｅｒ、システムフレーム番号）と帯域幅とを含んでもよい。もちろん、第１のシステム情報は、ＭＩＢを含んでもよい、ＳＦＮ、帯域幅及びＳＩＢｍを含んでもよい、ＭＩＢとｋ個のＳＩＢを含んでもよい、ここで、ｍは、１〜１２のうちの正の整数であり、ｋは、１〜１１のうちの正の整数である。
【００３４】
端末がランダムアクセス過程を介して基地局にアクセスする必要があるが、ランダムアクセス過程の中に、端末が基地局へ基地局のプリアンブルを送信する必要があり、したがって、端末において基地局のプリアンブルが記憶されていない場合、基地局は、プリアンブルを第１のシステム情報に付加して端末に送信してもよい、この場合、第１のシステム情報は、プリアンブルをさらに含む。端末において基地局のプリアンブルが記憶されている場合、第１のシステム情報は、プリアンブルを含まなくてもよい。
【００３５】
ここで、端末が競争メカニズムにより基地局にアクセスした場合、第１のシステム情報に付加されたのは、プリアンブルシーケンスであり、各プリアンブルは、競争メカニズムに基づいてアクセスすることに使用されるプリアンブルである。端末が非競争メカニズムにより基地局にアクセスした場合、第１のシステム情報に付加されたのは、基地局が端末に分配したプリアンブルであり、当該プリアンブルは、非競争メカニズムに基づいてアクセスすることに使用されるプリアンブルである。
【００３６】
ステップ３０２において、端末は、基地局がビームフォーミング技術を利用して放送した第１のシステム情報を受信する。
【００３７】
ステップ３０３において、ランダムアクセス過程の中に、端末は、基地局へプリアンブルを送信する。
【００３８】
端末が競争メカニズムにより基地局にアクセスした場合、端末は、プリアンブルシーケンスから１つのプリアンブルをランダムに選択すると共に、ＰＲＡＣＨ（Ｐｈｙｓｉｃａｌ  Ｒａｎｄｏｍ  Ａｃｃｅｓｓ  Ｃｈａｎｎｅｌ、物理ランダムアクセスチャネル）上で基地局へプリアンブルを送信する。
【００３９】
ステップ３０４において、基地局は、各端末から送信されたプリアンブルを検出する。
【００４０】
基地局は、ＰＲＡＣＨ上で各端末から送信されたプリアンブルを検出する。
【００４１】
ステップ３０５において、端末から送信されたプリアンブルを検出した場合、基地局は、ランダムアクセス応答メッセージを生成して端末に送信し、当該ランダムアクセス応答メッセージは、ランダムアクセスメッセージＩＩＩを送信するように指示する。
【００４２】
複数の端末がランダムに選択したプリアンブルは、同じである可能性があり、且つ同時に同じ上りリソース上で当該同じプリアンブルを基地局に送信するため、基地局は、複数の端末から送信されたプリアンブルを検出しない可能性があり、これにより、端末は、基地局へプリアンブルを再度送信し、送信回数が最大回数に達するまで停止し、または、複数の端末は、同時に同じ上りリソース上で基地局に同じプリアンブルを送信し、且つ、基地局は、当該プリアンブルを検出することができ、この場合、基地局は、ランダムアクセス応答メッセージを生成して、当該プリアンブルを送信した各端末に送信し、または、同じ時刻に１つの端末のみが基地局へプリアンブルを送信し、この場合、基地局は、プリアンブルを検出し、ランダムアクセス応答メッセージを生成して当該端末に送信することができる。ここで、ランダムアクセス応答メッセージは、ＲＡＲ（Ｒａｎｄｏｍ  Ａｃｃｅｓｓ  Ｒｅｓｐｏｎｓｅ、ランダムアクセス応答）であってもよい。
【００４３】
ランダムアクセス応答メッセージには、基地局により検出したプリアンブルのインデックス番号、上り同期のための時間調整情報、初期の上りリソース指示、一時的なＣ‐ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ、セル無線ネットワーク一時識別子）等が付加される。ここで、上りリソース指示は、ランダムアクセスメッセージＩＩＩの上りリソースを送信することを端末に指示し、一時的なＣ‐ＲＮＴＩは、ランダムアクセスメッセージＩＶにおいて永久的なＣ‐ＲＮＴＩに切替えられるか否かを確定される。
【００４４】
ステップ３０６において、端末は、基地局がプリアンブルを検出した後で送信したランダムアクセス応答メッセージを受信する。
【００４５】
複数の端末が同時に同じ上りリソース上で当該プリアンブルを送信する場合、各端末は、いずれもランダムアクセス応答メッセージを受信することができ、且つすべてのランダムアクセス応答メッセージには、いずれも当該プリアンブルのインデックス番号が付加されている。１つの端末が基地局へ当該プリアンブルを送信する場合、当該端末は、ランダムアクセス応答メッセージを受信し、且つ当該ランダムアクセス応答メッセージには、当該プリアンブルのインデックス番号が付加されている。
【００４６】
ステップ３０７において、端末は、基地局へシステム情報要求を含むランダムアクセスメッセージＩＩＩを送信し、当該システム情報要求は、第１のシステム情報と異なる第２のシステム情報を要求するのに用いられる。
【００４７】
第２のシステム情報は、第１のシステム情報以外の情報であり、少なくとも一種のシステム情報または少なくとも一種の情報ブロックを含んでもよい。
【００４８】
端末はランダムアクセス応答メッセージにおけるプリアンブルのインデックス番号が自分が送信したプリアンブルに対応することを確定した場合、ランダムアクセスメッセージＩＩＩを送信する。ここで、ランダムアクセスメッセージＩＩＩは、ｍｓｇ３であってもよい。
【００４９】
ここで、基地局へシステム情報要求を含むランダムアクセスメッセージＩＩＩを送信するステップは、ランダムアクセスメッセージＩＩＩが正の整数であるｎ個の情報指示ビットを含み、且つ各情報指示ビットが少なくとも一種のシステム情報または少なくとも一種の情報ブロックに対応する場合、ｎ個の情報指示ビットにおいて第２のシステム情報に対応する情報指示ビットを確定し、情報指示ビットの数値を基地局が第２のシステム情報を送信するように指示するための予め設定された数値に設定するステップと、基地局へランダムアクセスメッセージＩＩＩを送信するステップと、を含む。
【００５０】
一番目の情報指示ビットがＳＩＢ２を取得するように指示し、且つ予め設定された数値が１であると仮定すれば、端末が取得する必要がある第２のシステム情報はＳＩＢ２である場合、端末は、一番目の情報指示ビットの数値を１に設定する。端末がＳＩＢ２を取得する必要がない場合、端末は、一番目の情報指示ビットの数値を０に設定する。ｎ個の情報指示ビットにおける各情報指示ビットに対し、端末は、いずれも上記の方式に応じて各情報指示ビットの数値を設定することができる。
【００５１】
なお、基地局が端末を識別するように、ランダムアクセスメッセージＩＩＩには、少なくとも端末の識別子をさらに含む。
【００５２】
なお、複数の端末が同じランダムアクセス応答メッセージを同時に受信した場合、各端末は、いずれも基地局へランダムアクセスメッセージＩＩＩを送信する。
【００５３】
ステップ３０８において、基地局は、端末から送信されたシステム情報要求を含むランダムアクセスメッセージＩＩＩを受信する。
【００５４】
ステップ３０９において、基地局は、端末へ第２のシステム情報を含むンダムアクセスメッセージＩＶを送信し、当該ランダムアクセスメッセージＩＶは、端末が第２のシステム情報を読み取るように供される。
【００５５】
端末が複数のランダムアクセスメッセージＩＩＩを受信した場合、その中から自分が検出したプリアンブルの端末が送信したランダムアクセスメッセージＩＩＩを確定して、ランダムアクセスメッセージＩＶを生成する。基地局が１つのランダムアクセスメッセージＩＩＩのみを受信し、且つランダムアクセスメッセージＩＩＩにおける端末の識別子に基づいて、当該端末が自分が検出したプリアンブルを送信した端末であると確定した場合、ランダムアクセスメッセージＩＶを生成する。ここで、ランダムアクセスメッセージＩＶは、ｍｓｇ４であってもよい。
【００５６】
ここで、当該方法は、ランダムアクセスメッセージＩＩＩが正の整数であるｎ個の情報指示ビットを含み、且つ各情報指示ビットが少なくとも一種のシステム情報または少なくとも一種の情報ブロックに対応する場合、ランダムアクセスメッセージＩＩＩにおける各情報指示ビットの数値を読み取むステップと、数値が予め設定された数値である情報指示ビットが存在する場合、情報指示ビットに対応する第２のシステム情報を取得するステップと、第２のシステム情報を含むランダムアクセスメッセージＩＶを生成するステップと、をさらに含む。
【００５７】
端末によってステップ３０７に基づいてランダムアクセスメッセージＩＩＩを生成する場合、基地局は、各情報指示ビットの数値をさらに読み取り、各数値が予め設定された数値である情報指示ビットに対し、基地局は、当該情報指示ビットに対応する第２のシステム情報を読み取り、当該第２のシステム情報を含むランダムアクセスメッセージＩＶを生成する。
【００５８】
まだステップ３０７における例示について説明する。基地局が読み取った一番目の情報指示ビットの数値が１である場合、基地局は、端末がＳＩＢ２を読み取る必要があると確定し、ＳＩＢ２を第２のシステム情報としてランダムアクセスメッセージＩＶに追加する。
【００５９】
なお、ランダムアクセスメッセージＩＶには、サーバーによって確定された本回に基地局にアクセスできる端末の識別子を少なくとも含む。
【００６０】
ステップ３１０において、端末は、基地局から送信された第２のシステム情報を含むランダムアクセスメッセージＩＶを受信する。
【００６１】
ステップ３１１において、端末は、ランダムアクセスメッセージＩＶから第２のシステム情報を読み取る。
【００６２】
端末は、ランダムアクセスメッセージＩＶにおける端末の識別子に基づいて、自分が基地局にアクセスできるか否かを確定する必要もある。この場合、端末は、ランダムアクセスメッセージＩＶにおける端末の識別子を読み取り、当該端末の識別子が端末がランダムアクセスメッセージＩＩＩに送信した端末の識別子である場合、本回に基地局にアクセスできると確定し、第２のシステム情報を読み取ると共に、一時的なＣ‐ＲＮＴＩを永久的なＣ‐ＲＮＴＩに切替え、プロセスを終了する。当該端末の識別子が端末がランダムアクセスメッセージＩＩＩに送信した端末の識別子ではない場合、本回に基地局にアクセスできないと確定し、端末は、最大回数に達するまで、ランダムアクセス過程を再度行い、プロセスを終了する。
【００６３】
図４を参照すると、システム情報伝送方法のプロセスを示しており、ここで、端末がＵＥ（ｕｓｅｒ  ｅｑｕｉｐｍｅｎｔ、ユーザ機器）であり、基地局が５Ｇ（登録商標）  ＮＢ（Ｎｏｄｅ  Ｂ）であることを例として説明する。
【００６４】
ステップ４０１において、５Ｇ（登録商標）  ＮＢは、ＵＥへ第１のシステム情報を放送する。
【００６５】
ステップ４０２において、ＵＥは、ＰＲＡＣＨ上で５Ｇ（登録商標）  ＮＢへプリアンブルを送信する。
【００６６】
ステップ４０３において、５Ｇ（登録商標）  ＮＢは、ＵＥへＲＡＲを送信する。
【００６７】
ステップ４０４において、ＵＥは、５Ｇ（登録商標）  ＮＢへシステム情報要求を含むｍｓｇ３を送信する。
【００６８】
ステップ４０５において、５Ｇ（登録商標）  ＮＢは、ＵＥへ第２のシステム情報を含むｍｓｇ４を送信する。
【００６９】
ここで、ステップ３０１、３０４〜３０５及び３０８〜３０９は、称された基地局側のシステム情報伝送方法を単独に実現してもよい、ステップ３０２〜３０３、３０６〜３０７及び３１０〜３１１は、称された端末側のシステム情報伝送方法を単独に実現してもよい。
【００７０】
以上のように、本発明に係るシステム情報伝送方法は、端末が基地局へシステム情報要求を含むランダムアクセスメッセージＩＩＩを送信し、当該システム情報要求が第２のシステム情報を要求し、基地局が端末へ第２のシステム情報を含むランダムアクセスメッセージＩＶを送信し、端末がランダムアクセスメッセージＩＶから第２のシステム情報を読み取ることによって、端末は、基地局へ第２のシステム情報を要求することができ、基地局が複数回にビームフォーミング技術を利用して端末へシステム情報を放送することによるシグナリング浪費の問題を解決した。そして、端末は、システム情報要求を既存のランダムアクセスメッセージＩＩＩに付加して基地局へ送信し、基地局は、既存のランダムアクセスメッセージＩＶを介して端末へ第２のシステム情報をフィードバックし、これにより、端末が基地局へ単独のシステム情報要求を送信し、及び基地局が端末へ単独の第２のシステム情報を回答することによるシグナリング浪費の問題を解決し、シグナリングを節約する効果を達成することができる。
【００７１】
図５は、一例示的な実施例に係るシステム情報伝送装置のブロック図であり、当該システム情報伝送装置は、図１に示す端末に適用され、図５に示すように、当該システム情報伝送装置は、第１の送信モジュール５１０と、第１の受信モジュール５２０と、情報読み取りモジュール５３０と、を含む。
【００７２】
当該第１の送信モジュール５１０は、ランダムアクセス過程の中に、基地局へシステム情報を要求するためのシステム情報要求を含むランダムアクセスメッセージＩＩＩを送信するように構成される。
【００７３】
当該第１の受信モジュール５２０は、基地局から送信されたシステム情報を含むランダムアクセスメッセージＩＶを受信するように構成される。
【００７４】
当該情報読み取りモジュール５３０は、第１の受信モジュール５２０が得るランダムアクセスメッセージＩＶからシステム情報を読み取るように構成される。
【００７５】
以上のように、本発明に係るシステム情報伝送装置は、端末が基地局へシステム情報を要求するためのシステム情報要求を含むランダムアクセスメッセージＩＩＩを送信し、基地局が端末へシステム情報を含むランダムアクセスメッセージＩＶを送信し、端末がランダムアクセスメッセージＩＶからシステム情報を読み取ることによって、端末が基地局へシステム情報を要求でき、基地局が複数回にビームフォーミング技術を利用して端末へシステム情報を放送することによるシグナリング浪費の問題を解決した。そして、端末は、システム情報要求を既存のランダムアクセスメッセージＩＩＩに付加して基地局へ送信でき、基地局は、既存のランダムアクセスメッセージＩＶを介して端末へシステム情報をフィードバックし、これにより、端末が基地局へ単独のシステム情報要求を送信し、及び基地局が端末へ単独のシステム情報を回答することによるシグナリング浪費の問題を解決し、シグナリングを節約する効果を達成することができる。
【００７６】
図６は、一例示的な実施例に係るシステム情報伝送装置のブロック図であり、当該システム情報伝送装置は、図１に示す端末に適用され、図６に示すように、当該システム情報伝送装置は、第１の送信モジュール６１０と、第１の受信モジュール６２０と、情報読み取りモジュール６３０と、を含む。
【００７７】
当該第１の送信モジュール６１０は、ランダムアクセス過程の中に、基地局へシステム情報を要求するためのシステム情報要求を含むランダムアクセスメッセージＩＩＩを送信するように構成される。
【００７８】
当該第２の受信モジュール６２０は、基地局から送信されたシステム情報を含むランダムアクセスメッセージＩＶを受信するように構成される。
【００７９】
当該情報読み取りモジュール６３０は、第１の受信モジュール６２０が得るランダムアクセスメッセージＩＶからシステム情報を読み取るように構成される。
【００８０】
選択的に、第１の送信モジュール６１０は、さらに
ランダムアクセスメッセージＩＩＩが正の整数であるｎ個の情報指示ビットを含み、且つ各情報指示ビットが少なくとも一種のシステム情報または少なくとも一種の情報ブロックに対応する場合、ｎ個の情報指示ビットにおいてシステム情報に対応する情報指示ビットを確定し、情報指示ビットの数値を基地局がシステム情報を送信するように指示するための予め設定された数値に設定し、
基地局へランダムアクセスメッセージＩＩＩを送信するように構成される。
【００８１】
選択的に、装置は、第２の送信モジュール６４０と、第２の受信モジュール６５０と、をさらに含む。
【００８２】
当該第２の送信モジュール６４０は、ランダムアクセス過程の中に、基地局へプリアンブルを送信するように構成される。
【００８３】
当該第２の受信モジュール６５０は、基地局がプリアンブルを検出した後で送信した、ランダムアクセスメッセージＩＩＩを送信するように指示するためのランダムアクセス応答メッセージを受信するように構成される。
【００８４】
以上のように、本発明に係るシステム情報伝送装置は、端末が基地局へシステム情報を要求するためのシステム情報要求を含むランダムアクセスメッセージＩＩＩを送信し、基地局が端末へシステム情報を含むランダムアクセスメッセージＩＶを送信し、端末がランダムアクセスメッセージＩＶからシステム情報を読み取ることによって、端末が基地局へシステム情報を要求でき、基地局が複数回にビームフォーミング技術を利用して端末へシステム情報を放送することによるシグナリング浪費の問題を解決した。そして、端末は、システム情報要求を既存のランダムアクセスメッセージＩＩＩに付加して基地局へ送信でき、基地局は、既存のランダムアクセスメッセージＩＶを介して端末へシステム情報をフィードバックし、これにより、端末が基地局へ単独のシステム情報要求を送信し、及び基地局が端末へ単独のシステム情報を回答することによるシグナリング浪費の問題を解決し、シグナリングを節約する効果を達成することができる。
【００８５】
図７は、一例示的な実施例に係るシステム情報伝送装置のブロック図であり、当該システム情報伝送装置は、図１に示す基地局に適用され、図７に示すように、当該システム情報伝送装置は、メッセージ受信モジュール７１０と、第１の送信モジュール７２０を含む。
【００８６】
当該メッセージ受信モジュール７１０は、ランダムアクセス過程の中に、端末から送信された、システム情報を要求するためのシステム情報要求を含むランダムアクセスメッセージＩＩＩを受信するように構成される。
【００８７】
当該第１の送信モジュール７２０は、端末へシステム情報を含み、且つ端末がシステム情報を読み取るように供されるためのランダムアクセスメッセージＩＶを送信するように構成される。
【００８８】
以上のように、本発明に係るシステム情報伝送装置は、端末が基地局へシステム情報を要求するためのシステム情報要求を含むランダムアクセスメッセージＩＩＩを送信し、基地局が端末へシステム情報を含むランダムアクセスメッセージＩＶを送信し、端末がランダムアクセスメッセージＩＶからシステム情報を読み取ることによって、端末が基地局へシステム情報を要求でき、基地局が複数回にビームフォーミング技術を利用して端末へシステム情報を放送することによるシグナリング浪費の問題を解決した。そして、端末は、システム情報要求を既存のランダムアクセスメッセージＩＩＩに付加して基地局へ送信でき、基地局は、既存のランダムアクセスメッセージＩＶを介して端末へシステム情報をフィードバックし、これにより、端末が基地局へ単独のシステム情報要求を送信し、及び基地局が端末へ単独のシステム情報を回答することによるシグナリング浪費の問題を解決し、シグナリングを節約する効果を達成することができる。
【００８９】
図８は、一例示的な実施例に係るシステム情報伝送装置のブロック図であり、当該システム情報伝送装置は、図１に示す基地局に適用され、図８に示すように、当該システム情報伝送装置は、メッセージ受信モジュール８１０と、第１の送信モジュール８２０と、を含む。
【００９０】
当該メッセージ受信モジュール８１０は、ランダムアクセス過程の中に、端末から送信された、システム情報を要求するためのシステム情報要求を含むランダムアクセスメッセージＩＩＩを受信するように構成される。
【００９１】
当該第１の送信モジュール８２０は、端末へシステム情報を含み、且つ端末がシステム情報を読み取るように供されるためのランダムアクセスメッセージＩＶを送信するように構成される。
【００９２】
選択的に、装置は、数値読み取りモジュール８３０と、情報取得モジュール８４０と、メッセージ生成モジュール８５０と、をさらに含む。
【００９３】
当該数値読み取りモジュール８３０は、ランダムアクセスメッセージＩＩＩが正の整数であるｎ個の情報指示ビットを含み、且つ各情報指示ビットが少なくとも一種のシステム情報または少なくとも一種の情報ブロックに対応する場合、ランダムアクセスメッセージＩＩＩにおける各情報指示ビットの数値を読み取るように構成される。
【００９４】
当該情報取得モジュール８４０は、数値が予め設定された数値である情報指示ビットが存在する場合、情報指示ビットに対応するシステム情報を取得するように構成される。
【００９５】
当該メッセージ生成モジュール８５０は、システム情報を含むランダムアクセスメッセージＩＶを生成するように構成される。
【００９６】
選択的に、装置は、検出モジュール８６０と、第２の送信モジュール８７０をさらに含む。
【００９７】
当該検出モジュール８６０は、ランダムアクセス過程の中に、各端末から送信されたプリアンブルを検出するように構成される。
【００９８】
当該第２の送信モジュール８７０は、検出モジュール８６０が端末から送信されたプリアンブルを検出した場合、ランダムアクセスメッセージＩＩＩを送信するように指示するためのランダムアクセス応答メッセージを生成して端末に送信するように構成される。
【００９９】
以上のように、本発明に係るシステム情報伝送装置は、端末が基地局へシステム情報を要求するためのシステム情報要求を含むランダムアクセスメッセージＩＩＩを送信し、基地局が端末へシステム情報を含むランダムアクセスメッセージＩＶを送信し、端末がランダムアクセスメッセージＩＶからシステム情報を読み取ることによって、端末が基地局へシステム情報を要求でき、基地局が複数回にビームフォーミング技術を利用して端末へシステム情報を放送することによるシグナリング浪費の問題を解決した。そして、端末は、システム情報要求を既存のランダムアクセスメッセージＩＩＩに付加して基地局へ送信でき、基地局は、既存のランダムアクセスメッセージＩＶを介して端末へシステム情報をフィードバックし、これにより、端末が基地局へ単独のシステム情報要求を送信し、及び基地局が端末へ単独のシステム情報を回答することによるシグナリング浪費の問題を解決し、シグナリングを節約する効果を達成することができる。
【０１００】
上記の実施例における装置については、その中の各モジュールが操作を実行する具体的な方式は、すでにその方法の実施例において詳細に説明したので、ここでは詳細な説明を省略している。
【０１０１】
本発明の一例示的な実施例に係るシステム情報伝送装置は、本発明に係るシステム情報伝送方法を実現でき、当該システム情報伝送装置は、プロセッサと、プロセッサにより実行可能な命令を記憶するメモリと、を含み、
ここで、プロセッサは、
ランダムアクセス過程の中に、基地局へシステム情報を要求するためのシステム情報要求を含むランダムアクセスメッセージＩＩＩを送信し、
基地局から送信されたシステム情報を含むランダムアクセスメッセージＩＶを受信し、
ランダムアクセスメッセージＩＶからシステム情報を読み取るように構成される。
【０１０２】
本発明の一例示的な実施例に係るシステム情報伝送装置は、本発明に係るシステム情報伝送方法を実現でき、当該システム情報伝送装置は、プロセッサと、プロセッサにより実行可能な命令を記憶するメモリと、を含み、
ここで、プロセッサは、
ランダムアクセス過程の中に、端末から送信された、システム情報を要求するためのシステム情報要求を含むランダムアクセスメッセージＩＩＩを受信し、
端末へシステム情報を含み、且つ端末がシステム情報を読み取るように供されるためのランダムアクセスメッセージＩＶを送信するように構成される。
【０１０３】
図９は、一例示的な実施例に係るシステム情報伝送のための装置９００のブロック図である。例えば、装置９００は、携帯電話、コンピュータ、デジタルブロードキャスト端末、メッセージ送受信機、ゲーム機、タブレットデバイス、医療機器、フィットネス機器、ＰＤＡ等のものであってもよい。
【０１０４】
図９を参照すると、装置９００は、処理ユニット９０２、メモリ９０４、電源ユニット９０６、マルチメディアユニット９０８、オーディオユニット９１０、入力／出力（Ｉ／Ｏ）インタフェース９１２、センサーユニット９１４、及び通信ユニット９１６からなる群から選ばれる少なくとも１つを備えてもよい。
【０１０５】
処理ユニット９０２は、一般的には、装置９００の全体の操作、例えば、表示、電話呼び出し、データ通信、カメラ操作及び記録操作に関連する操作を制御する。処理ユニット９０２は、上述した方法におけるステップの一部又は全部を実現できるように、命令を実行する少なくとも１つのプロセッサ９１８を備えてもよい。また、処理ユニット９０２は、他のユニットとのインタラクションを便利にさせるように、少なくとも１つのモジュールを備えてもよい。例えば、処理ユニット９０２は、マルチメディアユニット９０８とのインタラクションを便利にさせるように、マルチメディアモジュールを備えてもよい。
【０１０６】
メモリ９０４は、装置９００での操作をサポートするように、各種のデータを記憶するように配置される。これらのデータは、例えば、装置９００で何れのアプリケーション又は方法を操作するための命令、連絡先データ、電話帳データ、メッセージ、画像、ビデオ等を含む。メモリ９０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクにより、或いはそれらの組み合わせにより実現することができる。
【０１０７】
電源ユニット９０６は、装置９００の各種ユニットに電力を供給するためのものであり、電源管理システム、１つ又は複数の電源、及び装置９００のために電力を生成、管理及び分配することに関連する他のユニットを備えてもよい。
【０１０８】
マルチメディアユニット９０８は、装置９００とユーザとの間に出力インタフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット９０８は、フロントカメラ及び／又はバックカメラを有してもよい。装置９００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１０９】
オーディオユニット９１０は、オーディオ信号を出力及び／又は入力するように配置される。例えば、オーディオユニット９１０は、マイクロフォン（ＭＩＣ）を有してもよい。装置９００が、例えば、呼び出しモード、記録モード、又は音声認識モードのような操作モードにあるとき、マイクロフォンは、外部のオーディオ信号を受信するように配置される。受信したオーディオ信号は、メモリ９０４にさらに記憶されてもよいし、通信ユニット９１６を介して送信されてもよい。一実施例では、オーディオユニット９１０は、オーディオ信号を出力するためのスピーカをさらに備えてもよい。
【０１１０】
Ｉ／Ｏインタフェース９１２は、処理ユニット９０２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１１１】
センサーユニット９１４は、装置９００のために各方面の状態を評価する少なくとも１つのセンサーを備えてもよい。例えば、センサーユニット９１４は、装置９００のオン／オフ状態や、ユニットの相対的な位置を検出することができる。例えば、前記ユニットは、装置９００のディスプレイ及びキーパッドである。センサーユニット９１４は、装置９００又は装置９００の１つのユニットの位置の変化や、ユーザが装置９００に接触しているか否かや、装置９００の方向又は加速／減速や、装置９００の温度変化を検出することができる。センサーユニット９１４は、何れの物理的な接触もない場合に付近の物体を検出するように配置される近接センサーを有してもよい。センサーユニット９１４は、イメージングアプリケーションに用いるための光センサー、例えば、ＣＭＯＳ又はＣＣＤ画像センサーを有してもよい。一実施例では、当該センサーユニット９１４は、加速度センサー、ジャイロスコープセンサー、磁気センサー、圧力センサー又は温度センサーをさらに備えてもよい。
【０１１２】
通信ユニット９１６は、装置９００と他の設備の間との無線又は有線通信を便利にさせるように配置される。装置９００は、通信標準に基づく無線ネットワーク、例えば、ＷｉＦｉ、２Ｇ又は３Ｇ、又はそれらの組み合わせにアクセスできる。１つの例示的な実施例では、通信ユニット９１６は、ブロードキャストチャンネルを介して外部のブロードキャスト管理システムからのブロードキャスト信号又はブロードキャストに関する情報を受信する。１つの例示的な実施例では、前記通信ユニット９１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術によって実現されてもよい。
【０１１３】
例示的な実施例では、装置９００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されてもよい。
【０１１４】
例示的な実施例では、命令を有する非一時的コンピュータ読み取り可能な記録媒体、例えば、命令を有するメモリ９０４をさらに提供する。前記命令は、装置９００のプロセッサ９１８により実行されて上述した方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリ等であってもよい。
【０１１５】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１１６】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2019517216.tif 000003
【図２】
2019517216.tif 000004
【図３】
2019517216.tif 000005
【図４】
2019517216.tif 000006
【図５】
2019517216.tif 000007
【図６】
2019517216.tif 000008
【図７】
2019517216.tif 000009
【図８】
2019517216.tif 000010
【図９】
2019517216.tif 000011
【手続補正書】
【提出日】平成30年11月20日(2018.11.20)
【手続補正２】
【補正対象書類名】明細書
【補正対象項目名】０００１
【補正方法】変更
【補正の内容】
【０００１】
本発明は、通信技術分野に係り、特に、システム情報伝送方法、装置、プログラム及び記録媒体に関する。
【手続補正３】
【補正対象書類名】明細書
【補正対象項目名】０００４
【補正方法】変更
【補正の内容】
【０００４】
相関技術における問題を解決するために、本発明は、システム情報伝送方法、装置、プログラム及び記録媒体を提供する。
【手続補正４】
【補正対象書類名】明細書
【補正対象項目名】００１５
【補正方法】変更
【補正の内容】
【００１５】
本発明の実施例に係る第６局面によれば、システム情報伝送装置を提供し、前記装置は、
プロセッサと、
プロセッサにより実行可能な命令を記憶するメモリと、を含み、
前記プロセッサは、
ランダムアクセス過程の中に、端末から送信された、システム情報を要求するためのシステム情報要求を含むランダムアクセスメッセージＩＩＩを受信し、
前記システム情報を含み、且つ前記端末が前記システム情報を読み取るように供されるためのランダムアクセスメッセージＩＶを前記端末へ送信するように構成される。
本発明の実施例に係る第７局面によれば、プログラムを提供し、前記プログラムは、プロセッサに実行されることにより、上記システム情報伝送方法を実現する。
本発明の実施例に係る第８局面によれば、記録媒体を提供し、前記記録媒体は、上記プログラムが記録されている。
【手続補正５】
【補正対象書類名】特許請求の範囲
【補正対象項目名】全文
【補正方法】変更
【補正の内容】
【特許請求の範囲】
【請求項１】
ランダムアクセス過程の中に、基地局へシステム情報を要求するためのシステム情報要求を含むランダムアクセスメッセージＩＩＩを送信するステップと、
前記基地局から送信された前記システム情報を含むランダムアクセスメッセージＩＶを受信するステップと、
前記ランダムアクセスメッセージＩＶから前記システム情報を読み取るステップと、を含むことを特徴とするシステム情報伝送方法。
【請求項２】
基地局へシステム情報要求を含むランダムアクセスメッセージＩＩＩを送信するステップは、
前記ランダムアクセスメッセージＩＩＩが正の整数であるｎ個の情報指示ビットを含み、且つ各情報指示ビットが少なくとも一種のシステム情報または少なくとも一種の情報ブロックに対応する場合、前記ｎ個の情報指示ビットにおいて前記システム情報に対応する情報指示ビットを確定し、前記情報指示ビットの数値を前記基地局が前記システム情報を送信するように指示するための予め設定された数値に設定するステップと、
前記基地局へ前記ランダムアクセスメッセージＩＩＩを送信するステップと、を含むことを特徴とする請求項１に記載のシステム情報伝送方法。
【請求項３】
ランダムアクセス過程の中に、前記基地局へプリアンブルを送信するステップと、
前記基地局が前記プリアンブルを検出した後で送信した、前記ランダムアクセスメッセージＩＩＩを送信するように指示するためのランダムアクセス応答メッセージを受信するステップと、をさらに含むことを特徴とする請求項１または２に記載のシステム情報伝送方法。
【請求項４】
ランダムアクセス過程の中に、端末から送信された、システム情報を要求するためのシステム情報要求を含むランダムアクセスメッセージＩＩＩを受信するステップと、
前記システム情報を含み、且つ前記端末が前記システム情報を読み取るように供されるためのランダムアクセスメッセージＩＶを前記端末へ送信するステップと、を含むことを特徴とするシステム情報伝送方法。
【請求項５】
前記ランダムアクセスメッセージＩＩＩが正の整数であるｎ個の情報指示ビットを含み、且つ各情報指示ビットが少なくとも一種のシステム情報または少なくとも一種の情報ブロックに対応する場合、前記ランダムアクセスメッセージＩＩＩにおける各情報指示ビットの数値を読み取るステップと、
数値が予め設定された数値である情報指示ビットが存在する場合、前記情報指示ビットに対応するシステム情報を取得するステップと、
前記システム情報を含むランダムアクセスメッセージＩＶを生成するステップと、をさらに含むことを特徴とする請求項４に記載のシステム情報伝送方法。
【請求項６】
ランダムアクセス過程の中に、各端末から送信されたプリアンブルを検出するステップと、
前記端末から送信されたプリアンブルを検出した場合、ランダムアクセスメッセージＩＩＩを送信するように指示するためのランダムアクセス応答メッセージを生成して前記端末に送信するステップと、をさらに含むことを特徴とする請求項４または５に記載のシステム情報伝送方法。
【請求項７】
ランダムアクセス過程の中に、基地局へシステム情報を要求するためのシステム情報要求を含むランダムアクセスメッセージＩＩＩを送信するように構成される第１の送信モジュールと、
前記基地局から送信された前記システム情報を含むランダムアクセスメッセージＩＶを受信するように構成される第１の受信モジュールと、
前記第１の受信モジュールが得る前記ランダムアクセスメッセージＩＶから前記システム情報を読み取るように構成される情報読み取りモジュールと、を含むことを特徴とするシステム情報伝送装置。
【請求項８】
前記第１の送信モジュールは、さらに
前記ランダムアクセスメッセージＩＩＩが正の整数であるｎ個の情報指示ビットを含み、且つ各情報指示ビットが少なくとも一種のシステム情報または少なくとも一種の情報ブロックに対応する場合、前記ｎ個の情報指示ビットにおいて前記システム情報に対応する情報指示ビットを確定し、前記情報指示ビットの数値を前記基地局が前記システム情報を送信するように指示するための予め設定された数値に設定し、
前記基地局へ前記ランダムアクセスメッセージＩＩＩを送信するように構成されることを特徴とする請求項７に記載のシステム情報伝送装置。
【請求項９】
ランダムアクセス過程の中に、前記基地局へプリアンブルを送信するように構成される第２の送信モジュールと、
前記基地局が前記プリアンブルを検出した後で送信した、前記ランダムアクセスメッセージＩＩＩを送信するように指示するためのランダムアクセス応答メッセージを受信するように構成される第２の受信モジュールと、をさらに含むことを特徴とする請求項７または８に記載のシステム情報伝送装置。
【請求項１０】
ランダムアクセス過程の中に、端末から送信された、システム情報を要求するためのシステム情報要求を含むランダムアクセスメッセージＩＩＩを受信するように構成されるメッセージ受信モジュールと、
前記システム情報を含み、且つ前記端末が前記システム情報を読み取るように供されるためのランダムアクセスメッセージＩＶを前記端末へ送信するように構成される第１の送信モジュールと、を含むことを特徴とするシステム情報伝送装置。
【請求項１１】
前記ランダムアクセスメッセージＩＩＩが正の整数であるｎ個の情報指示ビットを含み、且つ各情報指示ビットが少なくとも一種のシステム情報または少なくとも一種の情報ブロックに対応する場合、前記ランダムアクセスメッセージＩＩＩにおける各情報指示ビットの数値を読み取むように構成される数値読み取りモジュールと、
数値が予め設定された数値である情報指示ビットが存在する場合、前記情報指示ビットに対応するシステム情報を取得するように構成される情報取得モジュールと、
前記システム情報を含むランダムアクセスメッセージＩＶを生成するように構成されるメッセージ生成モジュールと、をさらに含むことを特徴とする請求項１０に記載のシステム情報伝送装置。
【請求項１２】
ランダムアクセス過程の中に、各端末から送信されたプリアンブルを検出するように構成される検出モジュールと、
前記検出モジュールが前記端末から送信されたプリアンブルを検出した場合、ランダムアクセスメッセージＩＩＩを送信するように指示するためのランダムアクセス応答メッセージを生成して前記端末に送信するように構成される第２の送信モジュールと、をさらに含むことを特徴とする請求項１０または１１に記載のシステム情報伝送装置。
【請求項１３】
プロセッサと、
プロセッサにより実行可能な命令を記憶するメモリと、を含み、
前記プロセッサは、
ランダムアクセス過程の中に、基地局へシステム情報を要求するためのシステム情報要求を含むランダムアクセスメッセージＩＩＩを送信し、
前記基地局から送信された前記システム情報を含むランダムアクセスメッセージＩＶを受信し、
前記ランダムアクセスメッセージＩＶから前記システム情報を読み取るように構成されることを特徴とするシステム情報伝送装置。
【請求項１４】
プロセッサと、
プロセッサにより実行可能な命令を記憶するメモリと、を含み、
前記プロセッサは、
ランダムアクセス過程の中に、端末から送信された、システム情報を要求するためのシステム情報要求を含むランダムアクセスメッセージＩＩＩを受信し、
前記システム情報を含み、且つ前記端末が前記システム情報を読み取るように供されるためのランダムアクセスメッセージＩＶを前記端末へ送信するように構成されるシステム情報伝送装置。
【請求項１５】
プロセッサに実行されることにより、請求項１〜６のいずれか１項に記載のシステム情報伝送方法を実現することを特徴とするプログラム。
【請求項１６】
請求項１５に記載のプログラムが記録された記録媒体。
【国際調査報告】
2019517216.tif 000012
2019517216.tif 000013
2019517216.tif 000014
2019517216.tif 000015